(57)【特許請求の範囲】
【請求項１】
導光板と、
前記導光板の上に重なりあって設置された複数層の光学フィルタと、
前記導光板を囲むように設けられたベゼルと、
回路板と発光部品とを有しているとともに、前記発光部品が前記ベゼルと前記導光板との間にあり、かつ、前記回路板が前記導光板の端部の上面と前記ベゼルとに固定されるようにして設置される光源ユニットと、
遮光両面テープである第１両面テープおよび第２両面テープと、
前記ベゼル、前記光源ユニットおよび前記導光板を収容する背板と、からなるバックライトモジュールであって、
前記光学フィルタは３層であって、
最低層である第１光学フィルタと、
前記第１光学フィルタの上に重ねられる第２光学フィルタと、
前記第２光学フィルタの上に重ねられる第３光学フィルタと、を有し、
前記第２光学フィルタは前記第１光学フィルタに対してセットバックしており、
前記第３光学フィルタは前記第２光学フィルタに対してセットバックしており、
これにより、前記第１光学フィルタの端部の上面、第２光学フィルタの端部の上面、および、第３光学フィルタの上面は、階段状になっており、
前記導光板の上面において前記第１光学フィルタが載置される領域は前記第１光学フィルタを受容するように前記導光板の上面の端部よりも低くなっており、
前記ベゼルは、段差状に配列された第１位置付け面と第２位置付け面とを備え、
前記第１位置付け面は、前記第２位置付け面の内側に位置し、
前記第１位置付け面と前記導光板の前記端部の上面とは同じ高さであり、
前記背板は底板と外壁とを備え、
前記外壁は、前記底板の縁部から垂直に突出して延在し、前記外壁の頂面と前記ベゼルの前記第２位置付け面とは同じ高さであり、
前記回路板の底面が前記第１両面テープによって前記第１位置付け面及び前記導光板の端部の上面に固定され、このとき、前記外壁の頂面と前記ベゼルの前記第２位置付け面と前記回路板の頂面とは同じ高さになり、さらに、前記第１両面テープの端部がさらに延在して前記第１光学フィルタの端部の上面に粘着され、このとき、前記第１両面テープの端部の上面と前記第２光学フィルタの上面とは同じ高さになり、
前記第２両面テープは、前記外壁の頂面と前記ベゼルの前記第２位置付け面と前記前記回路板の頂面とに粘着し、さらに、前記第２両面テープの端部が延在して、前記第１両面テープの前記端部の上面と前記第２光学フィルタの端部の上面に粘着し、さらに、前記第３光学フィルタの端部の上面に粘着する
ことを特徴とするバックライトモジュール。
【請求項２】
請求項１に記載のバックライトモジュールにおいて、
前記バックライトモジュールは、さらに反射シートを備え、前記反射シートは前記導光板と前記底板との間に設けられる
ことを特徴とするバックライトモジュール。
【請求項３】
請求項１に記載のバックライトモジュールにおいて、
前記導光板の底面は、反射塗膜でコーティングされ、
前記反射塗膜と前記底板は接触する
ことを特徴とするバックライトモジュール。
【請求項４】
バックライトモジュールと表示パネルからなる表示装置であって、
前記バックライトモジュールは、
導光板と、
前記導光板の上に重なりあって設置された複数層の光学フィルタと、
前記導光板を囲むように設けられたベゼルと、
回路板と発光部品とを有しているとともに、前記発光部品が前記ベゼルと前記導光板との間にあり、かつ、前記回路板が前記導光板の端部の上面と前記ベゼルとに固定されるようにして設置される光源ユニットと、
遮光両面テープである第１両面テープおよび第２両面テープと、
前記ベゼル、前記光源ユニットおよび前記導光板を収容する背板と、からなるバックライトモジュールであって、
前記光学フィルタは３層であって、
最低層である第１光学フィルタと、
前記第１光学フィルタの上に重ねられる第２光学フィルタと、
前記第２光学フィルタの上に重ねられる第３光学フィルタと、を有し、
前記第２光学フィルタは前記第１光学フィルタに対してセットバックしており、
前記第３光学フィルタは前記第２光学フィルタに対してセットバックしており、
これにより、前記第１光学フィルタの端部の上面、第２光学フィルタの端部の上面、および、第３光学フィルタの上面は、階段状になっており、
前記導光板の上面において前記第１光学フィルタが載置される領域は前記第１光学フィルタを受容するように前記導光板の上面の端部よりも低くなっており、
前記ベゼルは、段差状に配列された第１位置付け面と第２位置付け面とを備え、
前記第１位置付け面は、前記第２位置付け面の内側に位置し、
前記第１位置付け面と前記導光板の前記端部の上面とは同じ高さであり、
前記背板は底板と外壁とを備え、
前記外壁は、前記底板の縁部から垂直に突出して延在し、前記外壁の頂面と前記ベゼルの前記第２位置付け面とは同じ高さであり、
前記回路板の底面が前記第１両面テープによって前記第１位置付け面及び前記導光板の端部の上面に固定され、このとき、前記外壁の頂面と前記ベゼルの前記第２位置付け面と前記回路板の頂面とは同じ高さになり、さらに、前記第１両面テープの端部がさらに延在して前記第１光学フィルタの端部の上面に粘着され、このとき、前記第１両面テープの端部の上面と前記第２光学フィルタの上面とは同じ高さになり、
前記第２両面テープは、前記外壁の頂面と前記ベゼルの前記第２位置付け面と前記前記回路板の頂面とに粘着し、さらに、前記第２両面テープの端部が延在して、前記第１両面テープの前記端部の上面と前記第２光学フィルタの端部の上面に粘着し、さらに、前記第３光学フィルタの端部の上面に粘着し、
前記表示パネルは前記第２両面テープの頂面に粘着され、前記バックライトモジュールと前記表示パネルとが一体化される
ことを特徴とする表示装置。
【請求項５】
請求項４に記載の表示装置において、
前記バックライトモジュールは、さらに反射シートを備え、前記反射シートは前記導光板と前記底板との間に設けられる
ことを特徴とする表示装置。
【請求項６】
請求項４に記載の表示装置において、
前記導光板の底面は、反射塗膜でコーティングされ、前記反射塗膜と前記底板は接触する
ことを特徴とする表示装置。
【発明の詳細な説明】
【技術分野】
【０００１】
本発明は、２０１４  年  １１月１７日に提出した申請番号２０１４１０６５４６０７．１・発明名称「バックライトモジュール及び表示装置」の先願優先権を要求し、前記先願の内容は引用で本文中に合併される。
【０００２】
本発明は、液晶表示の技術分野に関し、特に、バックライトモジュール及び表示装置に関する。
【背景技術】
【０００３】
現在、液晶表示装置は、電子機器の表示部として各種電気製品に幅広く使用されており、従来技術において、バックライトモジュールは、通常プラスチックフレームと、導光板と、光源回路基板と、光学フィルタと、からなり、光源回路基板の底面は、両面テープによって前記導光板とプラスチックフレームに固定される。光学フィルタは、通常拡散シート、プリズムシート、偏光板等の複数のフィルタを備える。各光学フィルタはどれも固定されている必要があり、通常光学フィルタは、両面テープによって光源回路基板の頂面に固定される。
【０００４】
どのようにバックライトモジュールを設計して、光学フィルタ、導光板、光源回路基板、及びプラスチックフレーム間を、さらにシンプルに固定し、組み立てやすくするかは、今でも当業界の研究課題である。
【発明の概要】
【発明が解決しようとする課題】
【０００５】
本発明は、バックライトモジュール及び表示機器の組み立て構造がシンプルで、組み立てやすいという長所を備えた、バックライトモジュール及び表示装置を提供することを目的とする。
【課題を解決するための手段】
【０００６】
上述の目的を達成するために、本発明は、以下の技術案を提供する。
【０００７】
まず、本発明は、導光板と、光源ユニットと、ベゼルと、複数層の光学フィルタと、からなるバックライトモジュールを提供する。前記ベゼルは、前記導光板を囲み、前記光源ユニットは、前記導光板の１つの縁部と前記ベゼルの間に設けられる。前記光源ユニットは、回路板と発光部品を備え、前記発光部品は、前記導光板と前記ベゼルの間に位置する。前記回路板は前記導光板縁部の上方に位置し、前記光学フィルタは前記導光板上に重なり合って設置される。前記バックライトモジュールは、さらに第１両面テープと第２両面テープを備え、前記複数層の光学フィルタの縁部は重なり合って配列され、階段状を呈する。前記第１両面テープは前記導光板と前記回路板の底面の間に接着され、前期第１両面テープは縁部を備え、前記縁部は最底層の前記光学フィルタに粘着される。前記第２両面テープは、前記回路板の頂面、前記第１両面テープの前記縁部、及び前記光学フィルタの最底層以外の層の縁部に粘着される。
【０００８】
そのうち、前記ベゼルは、段差状に配列された第１位置付け面と第２位置付け面を備え、前記第１位置付け面は前記第２位置付け面の内側に位置し、前記第１位置付け面と前記導光板の縁部は同じ高さである。前記回路板の底面は、前記第１両面テープによって前記第１位置付け面及び前記導光板の縁部に固定され、前記第２位置付け面と前記回路板の頂面は同じ高さである。
【０００９】
そのうち、前記バックライトモジュールは背板を備え、前記背板は底板と外壁を備える。前記外壁は、前記底板の縁部から垂直に突出して延在し、前記ベゼルは、前記導光板と、前記光学フィルタと、前記光源ユニットとあわせて前記背板に固定され、前記外壁の頂面と前記第２位置付け面は同じ高さである。
【００１０】
そのうち、前記バックライトモジュールは、さらに反射シートを備え、前記反射シートは前記導光板と前記底板の間に設けられる。
【００１１】
そのうち、前記導光板の底面は、反射塗膜でコーティングされ、前記反射塗膜と前記底板は接触する。
【００１２】
そのうち、前記第１両面テープ及び第２両面テープは、どちらも遮光両面テープである。
【００１３】
そのうち、前記光学フィルタの層は３層であり、前記第１両面テープの前記最底層の前記光学フィルタを粘着する前記縁部の頂面と、中間層の前記光学フィルタの頂面は、同じ高さである。
【００１４】
さらに、本発明は、バックライトモジュールと表示パネルからなる表示装置を提供する。前記バックライトモジュールは、導光板と、光源ユニットと、ベゼルと、複数層の光学フィルタと、からなり、前記ベゼルは前記導光板を囲む。前記光源ユニットは、前記導光板の１つの縁部と前記ベゼルの間に設けられ、前記光源ユニットは、回路板と発光部品を備え、前記発光部品は、前記導光板と前記ベゼルの間に位置する。前記回路板は、前記導光板縁部の上方に位置し、前記光学フィルタは、前記導光板上に重なり合って設置される。前記バックライトモジュールは、さらに第１両面テープと第２両面テープを備え、前記複数層の光学フィルタの縁部は重なり合って配列され、階段状を呈する。前記第１両面テープは前記導光板と前記回路板の底面の間に接着され、前期第１両面テープは縁部を備え、前記縁部は最底層の前記光学フィルタに粘着される。前記第２両面テープは、前記回路板の頂面、前記第１両面テープの前記縁部、及び前記光学フィルタの最底層以外の層の縁部に粘着される。前記表示パネルは、前記バックライトモジュール上に設けられる上、前記第２両面テープの頂面は前記表示パネルに粘着される。
【００１５】
そのうち、前記ベゼルは、段差状に配列された第１位置付け面と第２位置付け面を備え、前記第１位置付け面は前記第２位置付け面の内側に位置し、前記第１位置付け面と前記導光板の縁部は同じ高さである。前記回路板の底面は、前記第１両面テープによって前記第１位置付け面及び前記導光板の縁部に固定され、前記第２位置付け面と前記回路板の頂面は同じ高さである。
【００１６】
そのうち、前記バックライトモジュールは背板を備え、前記背板は底板と外壁を備える。前記外壁は、前記底板の縁部から垂直に突出して延在し、前記ベゼルは、前記導光板と、前記光学フィルタと、前記光源ユニットとあわせて前記背板に固定され、前記外壁の頂面と前記第２位置付け面は同じ高さである。
【００１７】
そのうち、前記バックライトモジュールは、さらに反射シートを備え、前記反射シートは前記導光板と前記底板の間に設けられる。
【００１８】
そのうち、前記導光板の底面は、反射塗膜でコーティングされ、前記反射塗膜と前記底板は接触する。
【００１９】
そのうち、前記第１両面テープ及び第２両面テープは、どちらも遮光両面テープである。
【００２０】
そのうち、前記光学フィルタの層は３層であり、前記第１両面テープの前記最底層の前記光学フィルタを粘着する前記縁部の頂面と、中間層の前記光学フィルタの頂面は、同じ高さである。
【発明の効果】
【００２１】
本発明は、前記複数層の光学フィルタの縁部が重なり合って配列され、階段状を呈することによって、前記第１両面テープが前記導光板と前記回路板の底面の間に粘着される上、前記第１両面テープの縁部は、最底層の前記光学フィルタに粘着される。前記第２両面テープによって、前記回路板の頂面、前記第１両面テープの前記縁部、前記光学フィルタの最底層以外の層の縁部を粘着する。このような組み立て構造はシンプルであり、組み立てやすいという長所を備えるバックライトモジュール及び表示装置を可能にする。
【図面の簡単な説明】
【００２２】
本発明の技術案をさらに分かりやすく説明するため、以下に実施方法において必要とされる図について簡単に紹介する。見てわかる通り、以下に描写する図は、本発明の実施方法の一部に過ぎず、本領域の一般の技術者にとって、創造力を働かせなくても、これらの図のようなその他の図を取得できるものとする。
【図１】本発明の実施方法におけるバックライトモジュールの断面を示した図である。
【発明を実施するための形態】
【００２３】
以下に本発明の実施方法の図と組み合わせて、本発明の実施方法における技術案をさらに分かりやすく、全て説明する。
【００２４】
図１を参照する。本発明は、導光板１０と、光源ユニット２０と、ベゼル３０と、複数層の光学フィルタ４０と、からなるバックライトモジュールを提供する。導光板１０は、ベゼル３０の中空領域に設置され、ベゼル３０は、導光板１０を囲み、光源ユニット２０は、導光板１０の１つの縁部（ただし導光板１０の入光側）とベゼル３０の間に設けられる。光源ユニット２０は、回路板２２と発光部品２４を備え、発光部品２４は回路板２２に一体成形される。組み立てる時、発光部品２４は、導光板１０とベゼル３０の間に位置し、回路板２２は、導光板１０縁部の上方に位置する。光学フィルタ４０は、導光板１０上に重なり合って設置され、複数層の光学フィルタ４０の縁部は重なり合って配列され階段状を呈する。前記バックライトモジュールは、さらに第１両面テープ５０と第２両面テープ６０を備え、第１両面テープ５０は導光板１０と回路板２２の底面の間に接着され、第１両面テープ５０は縁部を備え、前記縁部は最底層の光学フィルタ４２に粘着される。つまり、第１両面テープ５０は、最底層の光学フィルタ４２の縁部の頂面まで延在されることによって、最底層の光学フィルタ４２を粘着して固定する。第２両面テープ６０は、回路板２２の頂面、第１両面テープ５０の前記縁部、光学フィルタ４０における最底層以外の層４４、４６の縁部に粘着される。
【００２５】
本発明は、複数層の光学フィルタ４０の縁部が重なり合って配列され、階段状を呈することによって、第１両面テープ５０が導光板１０と前記回路板２２の底面の間に粘着される上、第１両面テープ５０の縁部は、最底層の光学フィルタ４２に粘着される。第２両面テープ６０によって、回路板２２の頂面、第１両面テープ５０の前記縁部、及び光学フィルタ４０の最底層以外の層４４、４６の縁部を粘着する。このような組み立て構造はシンプルであり、組み立てやすいという長所を備えるバックライトモジュール及び表示装置を可能にする。
【００２６】
具体的には、ベゼル３０は、段差状に配列された第１位置付け面３２と第２位置付け面３４を備え、第１位置付け面３２は第２位置付け面３４の内側に位置し、第１位置付け面３２と導光板１０の縁部は同じ高さである。回路板２２の底面は、第１両面テープ５０によって第１位置付け面３２及び導光板１０の縁部に固定され、第２位置付け面３４と回路板２２の頂面は同じ高さである。
【００２７】
本発明のバックライトモジュールは、背板７０を備え、背板７０は底板７２と外壁７４を備える。外壁７４は、底板７２の縁部から垂直に突出して延在し、ベゼル３０は、導光板１０と、光学フィルタ４０と、光源ユニット２０とあわせて背板７０に固定され、外壁７４の頂面と第２位置付け面３４は同じ高さである。
【００２８】
１つの実施方法において、  バックライトモジュールは、さらに反射シート８０を備え、反射シート８０は導光板１０と底板７２の間に設けられる。
【００２９】
他の実施方法において、導光板１０の底面は、反射塗膜でコーティングされ、前記反射塗膜と底板７２は接触する。つまり、反射シート８０の代わりに反射塗膜を代用することで、バックライトモジュールの大きさを効果的に薄型化することができる。
【００３０】
本発明のバックライトモジュールにおいて、第１両面テープ５０及び第２両面テープ６０は、どちらも遮光両面テープである。遮光両面テープは、バックライトモジュールの縁部の光漏れを防止することができる。
【００３１】
具体的には、光学フィルタ４０の層は３層であり、第１両面テープ５０の縁部によって、最底層の光学フィルタ４２を粘着し、第１両面テープ５０の縁部の頂面と中間層の光学フィルタ４４の頂面は、同じ高さである。
【００３２】
本発明は、さらにバックライトモジュールと表示パネルからなる表示装置を提供する。前記表示パネルは、前記バックライトモジュール上に設けられる上、第２両面テープ６０の頂面は前記表示パネルに粘着される。
【００３３】
上述は、本発明の好ましい実施方法であり、指摘すべき点として、本領域の一般の技術者からすると、本発明の原理を逸脱しない前提において、若干の改良や潤飾をすることができるが、これらの改良や潤飾も本発明の特許請求範囲内であるとする。
【符号の説明】
【００３４】
１０  導光板
２０  光源ユニット
２２  回路板
２４  発光部品
３０  ベゼル
３２  第１位置付け面
３４  第２位置付け面
４０  光学フィルタ
４２  最底層の光学フィルタ
４４  光学フィルタにおける最底層以外の層
４６  光学フィルタにおける最底層以外の層
５０  第１両面テープ
６０  第２両面テープ
７０  背板
７２  底板
７４  外壁
８０  反射シート
【図１】
0006440227.tif 000002